(57)【特許請求の範囲】
【請求項１】
外部装置と通信する通信手段を有する撮像装置であって、
撮像手段を用いた撮影モードにするか、前記通信手段を用いた通信モードにするかを選択するモード選択手段と、
記憶媒体に最後に格納した画像データが、前記撮影モードで得られた画像データであるのか、前記通信モードで得られた画像データであるのかを判別するための情報を記憶保持する記憶保持手段と、
前記モード選択手段で選択している現在のモードと、前記記憶保持手段で保持されているモードとが異なれば新規フォルダを作成し、同じであれば新規フォルダを作成しないと判定する判定手段と、
前記モードのいずれかで前記記憶媒体に格納する画像データが得られた場合であって、前記判定手段が新規フォルダを作成すると判定した場合、前記記憶媒体に新規フォルダを作成し、当該新規フォルダ内に前記画像データをファイルとして格納し、
前記判定手段が新規フォルダを作成しない判定した場合、前記記憶媒体内の既存のフォルダ内に前記画像データをファイルとして格納するファイル管理手段と
を備えることを特徴とする撮像装置。
【請求項２】
更に、前記判定手段が新規フォルダを作成すると判定した場合に、現在のモードで画像を取得する前に、次に画像を取得することに応じて新規フォルダが作成されることを報知する報知手段を備えることを特徴とする請求項１に記載の撮像装置。
【請求項３】
前記報知手段は、撮像装置が有する表示手段に、フォルダ作成予告を示すアイコンを表示することを特徴とする請求項２に記載の撮像装置。
【請求項４】
外部装置と通信する通信手段を有する撮像装置の制御方法であって、
撮像手段を用いた撮影モードにするか、前記通信手段を用いた通信モードにするかを選択するモード選択工程と、
記憶媒体に最後に格納した画像データが、前記撮影モードで得られた画像データであるのか、前記通信モードで得られた画像データであるのかを判別するための情報を記憶保持する記憶保持手段を参照し、最後の画像データを保存した際のモードと、前記モード判定工程で判定された現在のモードとが異なれば新規フォルダを作成し、同じであれば新規フォルダを作成しないと判定する判定工程と、
前記モードのいずれかで前記記憶媒体に格納する画像データが得られた場合であって、前記判定工程が新規フォルダを作成すると判定した場合、前記記憶媒体に新規フォルダを作成し、当該新規フォルダ内に前記画像データをファイルとして格納し、
前記判定工程が新規フォルダを作成しない判定した場合、前記記憶媒体内の既存のフォルダ内に前記画像データをファイルとして格納するファイル管理工程と
を備えることを特徴とする撮像装置の制御方法。
【請求項５】
撮像手段で得られた画像データを、記憶媒体に保存すると共に、外部装置と通信する通信手段を有する撮像装置であって、
前記記憶媒体に保存する画像を取得するため、前記撮像手段を用いた撮影モードにするか、前記通信手段を用いた通信モードにするかを選択するモード選択手段と、
前記記憶媒体に最後に格納した画像データが、前記撮影モードで得られた画像データであるのか、前記通信モードで得られた画像データであるのかを判別するための情報を記憶保持する記憶保持手段と、
前記記憶媒体内にフォルダを強制的に作成するか否かを設定する第１の設定手段と、
前記記憶媒体内にフォルダの作成／非作成を自動で行なうか否かを設定する第２の設定手段と、
前記モード選択手段で選択している現在のモードと、前記記憶保持手段で保持されているモードとが一致するか否かを判定する判定手段と、
前記モードのいずれかで前記記憶媒体に格納すべき画像データが得られた際、前記第１、第２の設定手段による設定、及び、前記判定手段の判定結果に基づいて、前記画像データをファイルとして前記記憶媒体に格納するファイル管理手段とを備え、
前記ファイル管理手段は、
（ａ）前記第１の設定手段によって強制的にフォルダ作成が設定されている場合、前記記憶媒体に新規フォルダを作成し、当該新規フォルダ内に前記画像データをファイルとして格納し、
（ｂ）前記第１の設定手段によって強制的にフォルダ作成が設定されておらず、且つ、前記第２の設定手段によって、フォルダ作成／非作成を自動で行なうことが設定されていた場合であって、前記判定手段によって不一致と判定した場合、前記記憶媒体に新規フォルダを作成し、当該新規フォルダ内に前記画像データをファイルとして格納し、
（ｃ−１）前記第１の設定手段で強制的にフォルダ作成が設定されておらず、且つ、前記第２の設定手段によってフォルダ作成／非作成を自動で行なわないことが設定されている場合、或いは、（ｃ−２）前記判定手段で一致すると判定された場合、前記記憶媒体内の既存のフォルダ内に前記画像データをファイルとして格納することを特徴とする撮像装置。
【請求項６】
更に、前記判定手段が新規フォルダを作成すると判定した場合に、現在のモードで画像を取得する前に、次に画像を取得することに応じて新規フォルダが作成されることを報知する報知手段を備えることを特徴とする請求項１に記載の撮像装置。
【請求項７】
前記報知手段は、撮像装置が有する表示手段に、フォルダ作成予告を示すアイコンを表示することを特徴とする請求項６に記載の撮像装置。
【請求項８】
撮像手段で得られた画像データを、記憶媒体に保存すると共に、外部装置と通信する通信手段を有する撮像装置の制御方法であって、
前記記憶媒体に保存する画像を取得するため、前記撮像手段を用いた撮影モードにするか、前記通信手段を用いた通信モードにするかを選択するモード選択工程と、
前記記憶媒体内にフォルダを強制的に作成するか否かを設定する第１の設定工程と、
前記記憶媒体内にフォルダの作成／非作成を自動で行なうか否かを設定する第２の設定工程と、
前記記憶媒体に最後に格納した画像データが、前記撮影モードで得られた画像データであるのか、前記通信モードで得られた画像データであるのかを示す情報を記憶している記憶保持手段を参照し、最後に画像データを格納した際のモードと、前記モード選択工程で選択している現在のモードとが一致するか否かを判定する判定工程と、
前記モードのいずれかで前記記憶媒体に格納すべき画像データが得られた際、前記第１、第２の設定工程による設定、及び、前記判定工程の判定結果に基づいて、前記画像データをファイルとして前記記憶媒体に格納するファイル管理工程とを備え、
前記ファイル管理工程は、
（ａ）前記第１の設定工程によって強制的にフォルダ作成が設定されている場合、前記記憶媒体に新規フォルダを作成し、当該新規フォルダ内に前記画像データをファイルとして格納し、
（ｂ）前記第１の設定工程によって強制的にフォルダ作成が設定されておらず、且つ、前記第２の設定工程によって、フォルダ作成／非作成を自動で行なうことが設定されていた場合であって、前記判定工程によって不一致と判定した場合、前記記憶媒体に新規フォルダを作成し、当該新規フォルダ内に前記画像データをファイルとして格納し、
（ｃ−１）前記第１の設定工程で強制的にフォルダ作成が設定されておらず、且つ、前記第２の設定工程によってフォルダ作成／非作成を自動で行なわないことが設定されている場合、或いは、（ｃ−２）前記判定工程で一致すると判定された場合、前記記憶媒体内の既存のフォルダ内に前記画像データをファイルとして格納する処理を行なうことを特徴とする撮像装置の制御方法。
【発明の詳細な説明】
【技術分野】
【０００１】
本発明は静止画像や動画像を撮像、記録する撮像装置に関するものである。
【背景技術】
【０００２】
ＣＣＤセンサやＣＭＯＳセンサ等の撮像素子を用いて静止画像や動画像を撮影するデジタルカメラやデジタルビデオカメラが広く普及しつつある。
【０００３】
このような装置では、撮影した画像をデジタルデータファイル（撮影画像ファイル）として記憶媒体に記録している。
【０００４】
また、これらの画像処理装置の大半は外部装置と接続するためのインターフェースを備えており、接続相手から受信した画像も撮影した画像と同様にデジタルデータファイルとして記録することが可能である。
【０００５】
このようにして取り込まれた画像ファイルは、フォルダ（ディレクトリ）を用いたファイルシステム（フォルダ構造）を利用して記録されるのが一般的である。そして、フォルダを利用して撮影画像ファイルを記録時に分類し、後の検索操作を行なう提案が知られている（特許文献１）。
【特許文献１】特開２００１−５４０４１号公報
【発明の開示】
【発明が解決しようとする課題】
【０００６】
上記の特許文献１は、自身が撮像した画像の記憶管理に関する技術に留まるものである。昨今のデジタルカメラの多くは、先に説明したように、外部装置と通信可能であり、当然、外部装置（ＰＣや、他のデジタルカメラ等）からの画像データを受信し格納することも可能である。このように、外部装置から転送されてきた画像を格納した場合、その受信画像と、自身が撮像した画像が混在することになる。これでは、どの画像が受信したものであるのか、どの画像が自身で撮像したものであるのかを、ユーザが容易に判断することはできない。
【０００７】
本発明はこのような従来技術の課題を解決することを目的としてなされたものである。
【０００８】
また、本発明の他の目的は、自身で撮像した画像と、外部から受信した画像とを個別のフォルダに格納し、ファイル管理を容易にする技術を提供しようとするものである。
【課題を解決するための手段】
【０００９】
かかる課題を解決するため、例えば本発明の撮像装置は以下の構成を備える。すなわち、
外部装置と通信する通信手段を有する撮像装置であって、
撮像手段を用いた撮影モードにするか、前記通信手段を用いた通信モードにするかを選択するモード選択手段と、
記憶媒体に最後に格納した画像データが、前記撮影モードで得られた画像データであるのか、前記通信モードで得られた画像データであるのかを判別するための情報を記憶保持する記憶保持手段と、
前記モード選択手段で選択している現在のモードと、前記記憶保持手段で保持されているモードとが異なれば新規フォルダを作成し、同じであれば新規フォルダを作成しないと判定する判定手段と、
前記モードのいずれかで前記記憶媒体に格納する画像データが得られた場合であって、前記判定手段が新規フォルダを作成すると判定した場合、前記記憶媒体に新規フォルダを作成し、当該新規フォルダ内に前記画像データをファイルとして格納し、
前記判定手段が新規フォルダを作成しない判定した場合、前記記憶媒体内の既存のフォルダ内に前記画像データをファイルとして格納するファイル管理手段とを備える。
【発明の効果】
【００１０】
本発明によれば、撮影により記録された画像ファイルと、外部装置から受信して記録された画像ファイルを別々のフォルダに記録することにより、ユーザによる画像ファイルの分類と管理が容易になる。
【発明を実施するための最良の形態】
【００１１】
以下、図面を参照して、本発明をその好適な実施形態に基づいて詳細に説明する。
【００１２】
図１は、実施形態における画像処理装置の一例としてのデジタルカメラのブロック構成図である。
【００１３】
図中、１０は撮影レンズ、１２は絞り機能を備えるシャッター、１４は光学像を電気信号に変換する、ＣＣＤやＣＭＯＳセンサ等の撮像素子、１６は撮像素子１４のアナログ信号出力をディジタル信号に変換するＡ／Ｄ変換器である。
【００１４】
タイミング発生回路１８は撮像素子１４、Ａ／Ｄ変換器１６、Ｄ／Ａ変換器２６にクロック信号や制御信号を供給し、メモリ制御回路２２及びシステム制御回路５０により制御される。
【００１５】
画像処理回路２０は、Ａ／Ｄ変換器１６からのデータ或いはメモリ制御回路２２からのデータに対して所定の画素補間処理や色変換処理を行う。
【００１６】
また、画像処理回路２０は、撮像した画像データを用いて所定の演算処理を行う。この演算結果に基づき、システム制御回路５０が露光制御部４０、測距制御部４２に対して制御を行う。すなわち、実施形態におけるデジタルカメラは、ＴＴＬ（スルー・ザ・レンズ）方式のＡＦ（オートフォーカス）処理、ＡＥ（自動露出）処理、ＥＦ（フラッシュプリ発光）処理を行う。
【００１７】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１８】
メモリ制御回路２２は、Ａ／Ｄ変換器１６、タイミング発生回路１８、画像処理回路２０、画像表示メモリ２４、Ｄ／Ａ変換器２６、メモリ３０、圧縮伸長回路３２を制御する。
【００１９】
Ａ／Ｄ変換器１６の出力データが画像処理回路２０、メモリ制御回路２２を介して、或いはＡ／Ｄ変換器１６の出力データが直接メモリ制御回路２２を介して、画像表示メモリ２４或いはメモリ３０に書き込まれる。
【００２０】
画像表示メモリ２４に書き込まれた表示用の画像データは、Ｄ／Ａ変換器２６を介してＬＣＤや有機ＥＬディスプレイ等の画像表示部２８により表示される。撮像した画像データ（スルー画像）を画像表示部２８で逐次表示すれば、電子ビューファインダー（ＥＶＦ）機能を実現することが可能である。
【００２１】
また、画像表示部２８は、システム制御回路５０の指示により任意に表示をＯＮ／ＯＦＦすることが可能であり、表示をＯＦＦにした場合にはデジタルカメラ１００の電力消費を大幅に低減することができる。
【００２２】
メモリ３０は撮影した静止画像や動画像を格納する記憶装置であり、所定枚数の静止画像や所定時間の動画像を格納するのに十分な記憶容量を備えている。そのため、複数枚の静止画像を連続して撮影する連写撮影やパノラマ撮影の場合にも、高速かつ大量の画像書き込みをメモリ３０に対して行うことが可能となる。
【００２３】
また、メモリ３０はシステム制御回路５０の作業領域としても使用することが可能である。
【００２４】
圧縮伸長回路３２は、メモリ３０に格納された画像を読み込んで、適応離散コサイン変換（ＡＤＣＴ）、ウェーブレット変換等を用いた周知のデータ圧縮処理或いは伸長処理を行い、処理を終えたデータをメモリ３０に書き込む。
【００２５】
露光制御部４０は絞り機能を備えるシャッター１２を制御するとともに、フラッシュ４８と連携することによりフラッシュ調光機能も有する。
【００２６】
測距制御部４２は撮影レンズ１０のフォーカシングを制御し、ズーム制御部４４は撮影レンズ１０のズーミングを制御する。バリア制御部４６は撮影レンズ１０の保護を行うためのレンズバリアである保護部１０２の動作を制御する。
【００２７】
フラッシュ４８は撮影時の補助光源として機能し、調光機能も有する。また、ＡＦ補助光の投光機能も有する。
【００２８】
露光制御部４０、測距制御部４２はＴＴＬ方式を用いて制御される。撮像した画像データを画像処理回路２０が演算し、その演算結果を受けて、システム制御回路５０が露光制御部４０、測距制御部４２に対して制御を行う。
【００２９】
システム制御回路５０は例えばＣＰＵであり、メモリ５２に記憶されたプログラムを実行することによりデジタルカメラ１００全体を制御する。メモリ５２はシステム制御回路５０の動作用の定数、変数、プログラム等を記憶する。
【００３０】
表示部５４は例えばＬＣＤやＬＥＤ、スピーカ等の出力装置の組み合わせにより構成され、システム制御回路５０でのプログラムの実行に応じて、文字、画像、音声等を用いて動作状態やメッセージ等を出力する。表示部５４はデジタルカメラ１００の操作部７０近辺の視認し易い位置に、単数或いは複数設置される。また、表示部５４の一部は光学ファインダー１０４内に設置されている。
【００３１】
表示部５４の表示内容としては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニットの着脱状態表示、通信Ｉ／Ｆ動作表示、日付け・時刻表示、外部コンピュータとの接続状態を示す表示、合焦表示、撮影準備完了表示、手振れ警告表示、フラッシュ充電表示、記録媒体書き込み動作表示、等がある。この一部は後述のように光学ファインダー１０４内に表示される。
【００３２】
さらに、表示部５４の表示内容のうち、ＬＥＤ等により表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００３３】
そして、表示部５４の表示内容のうち、ランプ等により表示するものとしては、例えば、セルフタイマー通知ランプ、等がある。このセルフタイマー通知ランプは、ＡＦ補助光と共用して用いても良い。
【００３４】
不揮発性メモリ５６は電気的に消去・記録可能なメモリであり、例えばＥＥＰＲＯＭ等が用いられる。この不揮発性メモリ５６は、ユーザの名前等の他、後述する設定情報（図１２）を保持するためにも使用される。
【００３５】
モードダイヤル６０、シャッタースイッチ６２及び６４、再生モードスイッチ６６、姿勢モードスイッチ６８及び操作部７０は、システム制御回路５０に各種の動作指示を入力するための操作手段を構成し、ボタン、スイッチ、ダイアル、タッチパネル、視線検知によるポインティング、音声認識装置等の単数或いは複数の組み合わせで構成される。
【００３６】
ここで、これらの操作手段の具体的な説明を行う。
【００３７】
モードダイアルスイッチ６０は、例えば自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００３８】
第１シャッタースイッチＳＷ１（６２）は、デジタルカメラ１００に設けられたシャッターボタン（図示せず）の操作途中（半押し）でＯＮとなる。第１シャッタースイッチＳＷ１がＯＮになると、システム制御部５０はＡＦ（オートフォーカス）処理、ＡＥ（自動露出）処理、ＡＷＢ（オートホワイトバランス）処理、ＥＦ（フラッシュプリ発光）処理等の動作開始を指示する。
【００３９】
第２シャッタースイッチＳＷ２（６４）は、シャッターボタンの操作完了（全押し）でＯＮとなる。この第２シャッタースイッチＳＷ２がＯＮになると、システム制御部５０は、撮像素子１２から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮伸長回路３２で圧縮を行い、記録媒体２００或いは２１０に画像データを書き込む記録処理という一連の処理の動作開始を指示する。
【００４０】
再生モードスイッチ６６は、再生モード、マルチ画面再生・消去モード、ＰＣ接続モード等の各機能モードを設定することが出来る。
【００４１】
姿勢モードスイッチ６８は、姿勢モードのＯＮ／ＯＦＦを設定する。姿勢モードとは、カメラ姿勢検知部１０６により撮影時に検知したデジタルカメラ１００の姿勢を、撮影画像ファイル中の補助情報（画像姿勢フラグ）として記録媒体に記録し、再生時に利用するモードである。具体的には、再生時に画像姿勢フラグを参照し、縦位置で撮影された画像は縦位置で、横位置で撮影された画像は横位置に自動的に表示する等の制御を行うことができる。
【００４２】
操作部７０は各種ボタンやタッチパネル等からなる。この操作部７０に設けられているボタンやスイッチとしては、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、各種機能の選択及び切り替えを設定する選択／切り替えボタン、各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ(Joint Photographic Expert Group)圧縮の圧縮率を選択するため、或いは撮像素子の信号をそのままデジタル化して記録媒体に記録するＣＣＤＲＡＷモードを選択するための圧縮モードスイッチがある。
【００４３】
本実施形態において、ＪＰＥＧ圧縮のモードは、例えばノーマルモードとファインモードが用意されている。デジタルカメラ１００の利用者は、撮影した画像のデータサイズを重視する場合はノーマルモードを、撮影した画像の画質を重視する場合はファインモードを、それぞれ選択して撮影を行うことができる。
【００４４】
ＪＰＥＧ圧縮のモードにおいては、圧縮伸長回路３２が、メモリ３０に書き込まれた画像データを読み出し、設定された圧縮率に圧縮した後、例えば記録媒体２００に記録する。
【００４５】
ＲＡＷモードでは、撮像素子１４の色フィルタの画素配列に応じて、ライン毎にそのまま画像データを読み出し、Ａ／Ｄ変換器１６、メモリ制御回路２２を介して、メモリ３０に書き込まれた画像データを読み出し、記録媒体２００に記録する。
【００４６】
電源スイッチ７２は、本装置の電源オン、電源オフを切り替えるスイッチである。
【００４７】
新規フォルダ作成要求ボタン７４は、次の画像取り込み時に記録媒体２００又は２１０に新規フォルダを作成するためのボタンである。このボタンが押下された後で、記録媒体２００、２１０に画像ファイルを格納する際には、新規にフォルダを作成し、その作成したフォルダ内に格納することになる。
【００４８】
電源制御部８０は、電池検出回路、ＤＣ−ＤＣコンバータ、通電するブロックを切り替えるスイッチ回路等により構成されている。この電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４９】
電源８６はアルカリ電池やリチウム電池等の一次電池やＮｉＣｄ電池やＮｉＭＨ電池、Ｌｉ電池等の二次電池、或いはＡＣアダプター等からなり、コネクタ８２及び８４によってデジタルカメラ１００に取り付けられる。
【００５０】
メモリカードやハードディスク等の記録媒体２００及び２１０は、半導体メモリや磁気ディスク等から構成される記録部２０２、２１２と、デジタルカメラ１００とのインターフェース２０４、２１４及びコネクタ２０６、２１６を有している。記録媒体２００及び２１０は、媒体側のコネクタ２０６、２１６とデジタルカメラ１００側のコネクタ９２、９６とを介してデジタルカメラ１００に装着される。コネクタ９２、９６にはインターフェース９０及び９４が接続される。記録媒体２０２、２１２の装着有無は、記録媒体着脱検知部９８によって検知される。
【００５１】
なお、本実施形態ではデジタルカメラ１００が記録媒体を取り付けるインターフェース及びコネクタを２系統持つものとして説明しているが、記録媒体を取り付けるインターフェース及びコネクタは、単数を含む任意の数備えることができる。また、系統毎に異なる規格のインターフェース及びコネクタを用いても良い。
【００５２】
インターフェース及びコネクタとしては、例えばＰＣＭＣＩＡカードやＣＦ（コンパクトフラッシュ（登録商標））カード等の規格に準拠したものを用いることができる。
【００５３】
さらに、インターフェース９０及び９４、そしてコネクタ９２及び９６をＰＣＭＣＩＡカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００５４】
バリア１０２は、デジタルカメラ１００の、レンズ１０を含む撮像部を覆う事により、撮像部の汚れや破損を防止する。
【００５５】
光学ファインダー１０４は例えばＴＴＬファインダーであり、プリズムやミラーを用いてレンズ１０を通じた光束を結像する。光学ファインダー１０４を用いることで、画像表示部２８による電子ファインダー機能を使用すること無しに撮影を行うことが可能である。また、上述したように、光学ファインダー１０４内には、表示部５４の一部の機能、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示などの情報表示がなされる。
【００５６】
カメラ姿勢検知部１０６は、例えばカメラの姿勢によりオンオフするスイッチを有し、デジタルカメラ１００の姿勢状態を検出する。ここで言う姿勢状態とは、横位置撮影或いは縦位置撮影のいずれの状態かを判別可能な状態を意味する。
【００５７】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。
【００５８】
コネクタ（無線通信の場合はアンテナ）１１２は、通信部１１０を介してデジタルカメラ１００を他の機器と接続する。
【００５９】
次に実施形態におけるシステム制御部５０の処理内容を説明する。
【００６０】
先ず、実施形態における特徴部分の概要を説明した上で、実際の処理内容を説明する。
【００６１】
本実施形態におけるデジタルカメラは、撮像素子１４で得られた画像データを必要に応じて符号化し、ファイルとして記録媒体２００、２１０のいずれかに格納する。このとき、格納先には、予めフォルダを作成し（その詳細は後述する）、その中に格納する。また、実施形態でのデジタルカメラは、先に説明したように、通信部１１０を介して、外部装置（例えば、他のデジタルカメラ）から無線通信によって画像データを受信し、それをファイルとして記録媒体２００、２１０のいずれかのフォルダに格納することも可能である。
【００６２】
つまり、記録媒体２００、２１０に格納する画像データの発生源は、外部装置と、本実施形態のデジタルカメラの２通りになる。以下では、説明を単純にするため、画像データの発生源が外部装置であることを「画像データ発生源が外部である」、画像データ発生源がデジタルカメラであることを「画像データ発生源が内部である」という。
【００６３】
本実施形態では、この画像データ発生源が切り換わったとき、新規にフォルダを作成し、その作成したフォルダに画像データ発生源からの画像データを格納する処理を自動で行なうことを可能にする。
【００６４】
また、実施形態は、ユーザが明示的に新規にフォルダを作成する指示入力を行ない、その指示入力があって、且つ、格納すべき画像データが発生した場合に、新規にフォルダを作成し、その中に画像データをファイルとして格納することをも可能にする。
【００６５】
図１２は、不揮発性メモリ５６に保持された設定テーブルの例を示している。
【００６６】
フォルダ自動作成フラグは、表示部２８に図１３に示すようなメニューを表示し、その表示に対するユーザの操作によって決定される。フォルダ自動作成フラグがＯＮになるのは、図１３のメニューにて「新規フォルダ内に格納」が選択された場合である。また、フォルダ自動作成フラグがＯＦＦになるのは、図１３のメニューにて「既存フォルダ内に格納」が選択された場合である。
【００６７】
また、図１２において「フォルダ手動作成フラグ」は、新規フォルダ作成要求ボタン７４に依存して決定される。新規フォルダ作成要求ボタン７４が押下されるとフォルダ手動作成フラグはＯＮになり、再度、新規フォルダ作成要求ボタン７４が押下されるとＯＦＦになる。
【００６８】
また、図１２において、「最後画像ソース源」の欄は、記録媒体２００、２１０に最後に保存した画像データファイルの画像データ発生源が外部か、内部かを示す情報を格納する。
【００６９】
さて、実施形態では、フォルダ手動作成フラグがＯＮとなっていて、記録媒体２００、２１０に画像ファイルを格納する段階になると、その画像ファイルの発生源が外部／内部のいずれであるかを問わず、新規にフォルダを作成し、そのフォルダを以降の処理で格納対象として決定する。そのため、フォルダ手動作成フラグがＯＮで、フォルダを作成した場合には、フォルダ手動作成フラグをＯＦＦに設定する（詳細後述）。
【００７０】
一方、フォルダ自動作成フラグがＯＮである場合、記録媒体２００、２１０に最後の保存した画像データファイルの発生源と、今回格納しようとしている画像データの発生源が異なっている場合、フォルダを新規に作成し、その中に新に生成或いは受信した画像データを保存する。このフォルダ自動作成フラグは、図１３のメニューで変更しない限り、維持されたままである。
【００７１】
なお、フォルダ手動作成フラグ及びフォルダ自動作成フラグの両方ともＯＦＦである場合には、最後に画像データファイルを保存したフォルダ内に、新に発生した画像データを格納する。
【００７２】
上記を踏まえ、実施形態におけるシステム制御部５０の処理内容を図２乃至図１１のフローチャートに従って説明する。なお、以下の説明で、「フォルダ作成フラグ」というフラグが出現するが、これはシステム制御部５０内のＲＡＭに一時的に作成されるフラグであり、上記のフォルダ手動作成フラグ及びフォルダ自動作成フラグとは異なるものである点に注意されたい。
【００７３】
まず、フォルダ手動作成フラグ、フォルダ自動作成フラグの値に基づき、フォルダを作成するか否かを示す情報を格納するフォルダ作成フラグの生成処理を図９のフローチャートに従って説明する。この処理は、後述する図３のステップＳ１４０、図４のステップＳ４１０の処理でもある。
【００７４】
先ず、システム制御部５０は、ステップＳ９０１にて、記録媒体２００（或いは２１０）にフォルダを作成可能か否かを判断する。この判断は、記録媒体２００（或いは２１０）が実施形態のデジタルカメラに装着されているか否か、及び、空き領域があるか否かに基づいて判断する。
【００７５】
フォルダ作成が不可であると判断した場合、ステップＳ９０８に進み、フォルダ作成フラグをＯＦＦに設定する。
【００７６】
また、フォルダの作成可であると判断した場合、ステップＳ９０２に進み、フォルダ手動作成フラグ（図１２参照）がＯＮであるか否かを判断する。フォルダ手動作成フラグがＯＮであると判断すると、ステップＳ９０７に進んで、フォルダ作成フラグをＯＮに設定する。
【００７７】
さて、ステップＳ９０２にて、フォルダ手動作成フラグがＯＦＦであると判断した場合、処理はステップＳ９０３に進む。このステップＳ９０３では、システム制御部５０は、フォルダ自動作成フラグ（図１２）がＯＮであるか否かを判断する。フォルダ自動作成フラグがＯＦＦであると判断した場合、ステップＳ９０８に処理を進め、フォルダ作成フラグをＯＦＦに設定する。
【００７８】
また、フォルダ自動作成フラグがＯＮであると判断した場合、システム制御部５０は、ステップＳ９０４に進み、最後の画像ソース源情報を、不揮発性メモリ５６の設定テーブル（図１２参照）より読込む。そして、システム制御部５０は、ステップＳ９０５において、最後に記録媒体２００（或いは２１０）に格納した画像データの発生源が外部からのデータであるか、装置自身（内部）からのものであるのか判断する。記録媒体２００（或いは２１０）に最後に格納した画像データが外部から受信したデータであると判断した場合、処理はステップＳ９０６に進む。
【００７９】
ステップＳ９０６では、システム制御部５０は、現在のモードが撮影モードであるか否かを判断する。すなわち、記録媒体２００（或いは２１０）に最後に格納した画像データの発生源と、現在のモードに従って画像データを記録媒体に格納したと過程した発生源が異なるか否かを判断する。現在のモードが撮影モードである場合、ユーザがシャッターＳＷ２をＯＮにして撮像した場合に得られる画像データは、新規に作成したフォルダ内に格納されることになる。そこで、ステップＳ９０７に進み、フォルダ作成フラグをＯＮに設定し、本処理を終える。また、ステップＳ９０６において、現在のモードが再生モードであると判断した場合、そのモードで記憶媒体２００（或いは２１０）に格納されることになる画像データの発生源は、最後に格納した画像データの発生源と同じであることを意味するので、ステップＳ９０８に進み、フォルダ作成フラグをＯＦＦに設定し、本処理を終える。
【００８０】
また、ステップＳ９０５において、システム制御部５０が、記録媒体２００（或いは２１０）に最後に格納した画像データのデータ発生源が内部であると判断した場合、処理はステップＳ９０９に進む。このステップＳ９０９では、現在のモードが再生モードであるか否かを判断する。すなわち、記録媒体２００（或いは２１０）に最後に格納した画像データの発生源と、現在のモードに従って画像データを記録媒体に格納したと過程した発生源が異なるか否かを判断する。現在のモードが再生モードである場合、記録媒体２００（或いは２１０）に格納するのは、外部のデータ発生源から受信した画像データとなる。そこで、ステップＳ９０７に進み、フォルダ作成フラグをＯＮに設定し、本処理を終える。また、ステップＳ９０９において、現在のモードが撮影モードであると判断した場合、そのモードで記憶媒体２００（或いは２１０）に格納されることになる画像データの発生源は、最後に格納した画像データの発生源と同じであることを意味する。そこで、システム制御部５０は、ステップＳ９０８に進み、フォルダ作成フラグをＯＦＦに設定し、本処理を終える。
【００８１】
上記の処理をまとめると、フォルダ作成フラグがＯＮになるためには、少なくとも次の条件Ａ，Ｂのいずれか一方を満たす場合となる。
条件Ａ：フォルダ手動フラグがＯＮである場合。
条件Ｂ：フォルダ手動フラグがＯＦＦ、且つ、フォルダ自動フラグがＯＮ、且つ、記録媒体２００（或いは２１０）に最後に格納した画像データ発生源と、現在のモード中に記録媒体２００（或いは２１０）に格納したと過程した場合の画像データ発生源とが異なる場合。
【００８２】
逆に、上記条件以外の場合、フォルダ作成フラグはＯＦＦに設定されることを意味する。
【００８３】
以上を踏まえ、実施形態におけるシステム制御部５０のメイン処理を、図２乃至図４のフローチャートに従って説明する。
【００８４】
先ず、電池交換等による主電源投入により、システム制御部５０は各構成要素の初期化処理を行なう（ステップＳ１０１）。次いで、システム制御部５０は、記憶媒体２００、１０内のファイル検索処理を行う（ステップＳ１０２）。このステップＳ１０２におけるファイル検索処理の詳細は図８を用いて後述する。
【００８５】
システム制御部５０は、電源スイッチ７２の設定位置を判断し（ステップＳ１０３）、電源スイッチ７２が電源ＯＦＦに設定されていたならば、ステップＳ１０４へ進んで所定の終了処理を行う。終了処理には、各表示部の表示を終了状態に変更し、レンズバリア１０２を閉じて撮像部を保護する処理、フラグや制御変数等を含むパラメータや設定値、設定モードを不揮発性メモリ５６に記録する処理、電源制御部８０により、画像表示部２８を含む、電源供給が不要な部分への電源を遮断する処理、外部装置との接続が確立されている場合は切断する処理が含まれる。これらの終了処理が完了すると、処理はステップＳ１０３に戻る。
【００８６】
一方、ステップＳ１０３において電源スイッチ７２が電源ＯＮに設定されていれば、システム制御部５０は、ステップＳ１０６に進み、モードダイアル６０の設定位置を検出し、撮影モードであるか否かを判断する。撮影モードであると判断した場合には、ステップＳ１０８にて、撮影条件を設定し、ステップＳ１０９へ進む。このステップＳ１０８における撮影条件設定処理の詳細は図１１を用いて後述する。
【００８７】
また、ステップＳ１０６で、モードダイアル６０が撮影モード以外のモードに設定されていたと判断した場合、システム制御部５０はステップＳ１１５にて、通信モジュール１１０が外部装置と通信中であるか否かを判断する。通信中であると判断した場合には、ステップＳ１０９へ進む。また、どの外部装置とも通信していないと判断した場合には、ステップＳ１０７に進んで、選択されたモードに応じた処理を実行し、処理を終えたならばＳ１０３に戻る。このステップＳ１０７の処理の１つが、先に説明した図１３のＧＵＩ表示処理でもある。
【００８８】
さて、処理がステップＳ１０９に進むと、システム制御部５０は、電源制御部８０を用い、電池等により構成される電源８６の残容量や動作状況を判断する。電源８６の状況がデジタルカメラ１００の動作上に問題があると判断される場合、ステップＳ１１１にて、表示部５４を用いて画像や音声により、問題に応じた所定の警告を行ない、ステップＳ１０３に戻る。
【００８９】
一方、電源８６に問題が無いと判断される場合、システム制御部５０は、ステップＳ１１０に進み、記録媒体のチェックを行う。つまり、記録媒体２００或いは２１０の装着有無の判定、装着されている場合には十分な空エリアがあるか否かの判定を行なう。記録媒体２００或いは２１０のいずれもが装着されていない、或いは、空エリアがない、正常な読み書きが行えないなど、記録媒体に対する記録再生動作上問題があると判断した場合には、やはり、ステップＳ１１１にて、表示部５４を用いて画像や音声により、問題に応じた所定の警告を行ない、ステップＳ１０３に戻る。
【００９０】
さて、電源、及び、記録媒体に問題がないと判断された場合、システム制御部５０は、ステップＳ１１４に進み、現在のモードが撮影モードか、それ以外のモードで外部装置と接続しているかどうかを判定する。
【００９１】
撮影モードであると判断した場合、システム制御部５０は、ステップＳ１４０（図３）に進む。このステップＳ１４０の処理は、既に説明した図９の処理でもあり、フォルダ作成フラグの値を決定する処理でもある。
【００９２】
システム制御部５０は、次に、ステップＳ１４１に進み、表示部５４に各種設定状態の表示を行う。なお、画像表示部２８がＯＮに設定されている場合には、画像表示部２８も用いて画像によりデジタルカメラ１００の各種設定状態の表示を行う。この設定表示処理の詳細は図５を用いて後述する。
【００９３】
設定表示処理後、システム制御部５０は、ステップＳ１２１において、シャッタースイッチＳＷ１の状態を検出する。シャッタースイッチＳＷ１がＯＮでない（レリーズボタンが半押し状態にない）ならば、ステップＳ１０３に戻る。また、シャッタースイッチＳＷ１がＯＮであると判定した場合には、ステップＳ１２２に処理を進める。
【００９４】
このステップＳ１２２では、システム制御部５０は、測距処理（ＡＦ処理）を行って撮影レンズ１０の焦点を被写体に合わせ、測光処理（ＡＥ処理）を行って絞り値及びシャッタースピードを決定する。また、この測光処理に於いて、必要であればフラッシュの設定も行う。この測距・測光処理の詳細は図６を用いて後述する。
【００９５】
測距・測光処理を終えると、シャッタースイッチＳＷ１、ＳＷ２の状態をチェックする（ステップＳ１２３、Ｓ１２４）。そして、シャッタースイッチＳＷ２がＯＦＦのままで、シャッタースイッチＳＷ１がＯＦＦとなったならば、処理はステップＳ１０３に戻る。
【００９６】
また、システム制御部５０が、シャッタースイッチＳＷ１がＯＮの状態でシャッタースイッチＳＷ２がＯＮとなった（レリーズボタンが全押しされた）ことを検出した場合、処理をステップＳ１２５に進める。
【００９７】
ステップＳ１２５でシステム制御部５０は、撮影に備えて保存ファイル名の決定を行ったり、設定に応じて新規フォルダの作成処理等のファイル及びフォルダの管理処理を行う。このステップＳ１２５におけるフォルダ及びファイル管理処理の詳細は図１０を用いて後述する。
【００９８】
そして、ステップＳ１２６で、システム制御部５０は撮影処理を行う。まず、撮像素子１２、Ａ／Ｄ変換器１６、画像処理回路２０、メモリ制御回路２２を介して、或いはＡ／Ｄ変換器から直接メモリ制御回路２２を介して、メモリ３０に、撮影した画像データを書き込む（露光処理）。そして、メモリ制御回路２２そして必要に応じて画像処理回路２０を用いて、メモリ３０に書き込まれた画像データを読み出して各種処理を行う現像処理からなる撮影処理を実行する。この撮影処理の詳細は図７を用いて後述する。
【００９９】
撮影処理を終えたならば、システム制御部５０は、ステップＳ１２７にて、撮影画像を画像表示部２８に表示するクイックレビュー処理を行い、確認のため、ユーザに対して撮影した画像の表示を行なう。
【０１００】
所定のクイックレビュー期間中に例えば削除指示がなければ、システム制御部５０は、ステップＳ１２８において記録処理を行う。すなわち、メモリ３０に書き込まれた撮影画像データを読み出し、メモリ制御回路２２（必要に応じて画像処理回路２０をも）用いて各種画像処理を行う。そして、圧縮・伸長回路３２を用い、設定されたモードに応じた画像圧縮処理を行ない、ヘッダ等に姿勢フラグなどの付加情報を加え、予め定められた記録ファイル形式に従った撮影画像ファイルを生成する。その後、インタフェース９０或いは９４、コネクタ９２或いは９６を介して、メモリカードやコンパクトフラッシュ(登録商標)カード等の記録媒体２００或いは２１０の、予め定められた記録先に、撮影画像ファイルを書き込む。
【０１０１】
なお、画像表示部２８がＯＮの場合は、記録媒体２００或いは２１０へ画像データの書き込みを行っている間、書き込み動作中であることを明示する。例えば「ＢＵＳＹ」のような表示を画像表示部２８に対して行う。さらに、表示部５４において例えばＬＥＤを点滅させる等の記録媒体書き込み動作表示も併せて行う。
【０１０２】
この後、処理はステップＳ１４２に進み、ステップＳ１２８で記録した画像データが、デジタルカメラ自身で撮像したこと、すなわち、最後の画像データの発生源が内部であることを示す情報を、設定テーブルの「最後画像ソース源」（図１２参照）に格納する。
【０１０３】
次に、処理はステップＳ１２９に進み、システム制御部５０は、内部メモリ或いはメモリ５２に記憶されるブラケットフラグの状態を判断する（ステップＳ１２９）。ブラケットフラグは、ブラケット撮影の実施／不実施を表すフラグである。ブラケットフラグが解除されていたならば、ステップＳ１３２に進む。
【０１０４】
また、ブラケットフラグが設定されていると判断した場合には、システム制御部５０は、ステップＳ１３０にて、ブラケット撮影の残り枚数が１以上であるか否かを判断する。ブラケット撮影の残り枚数が１以上であると判断した場合、ブラケット撮影が未完であることを意味するので、システム制御部５０は、ステップＳ１３１にて、ブラケット撮影における撮影条件を変更し、ステップＳ１２５に戻る。なお、ステップＳ１２５に戻った場合、後述する説明から明らかにするが、フォルダの新規作成は行われない。また、ブラケット撮影における撮影条件には例えば露出補正値やホワイトバランス値などがある。
【０１０５】
ステップＳ１３２に処理が進んだ場合、システム制御部５０は、シャッタースイッチＳＷ２の状態を検出する。シャッタースイッチＳＷ２がＯＦＦであれば、ステップＳ１０３に戻る。一方、シャッタースイッチＳＷ２がＯＮの状態である場合には、ステップＳ１３３に進み、システム制御部５０の内部メモリ或いはメモリ５２に記憶される連写フラグの状態を検出する。連写フラグが設定されていれば、ステップＳ１３４に進む。
【０１０６】
ステップＳ１３４では、システム制御部５０は、ステップＳ１２９と同様にブラケットフラグの状態を判断し、ブラケットフラグが解除（ＯＦＦ）されているか否かを判断する。ブラケットフラグが解除されていると判定した場合、ステップＳ１２５に戻って次の撮影処理を行う。ブラケットフラグが設定されていた場合、ステップＳ１０３に戻る。これは、本実施形態においては、ブラケットフラグがＯＮであれば、連写をしないという設定としているからである。
【０１０７】
以上が撮影モードの処理である。次に、図２のステップＳ１１４で外部装置と通信中であると判断した場合の処理を、図４のフローチャートに従って説明する。
【０１０８】
先ず、システム制御部５０は、ステップＳ４１０において、新規にフォルダ作成すべきか否かの判定を行なう。このステップＳ４１０のフォルダ作成判定処理は、図３のステップＳ１４０と同じである。すなわち、既に図９を用いて説明したように、フォルダを新規に作成すべきか否かを決定すためのフォルダ作成フラグの値を決定する処理である。
【０１０９】
システム制御部５０は、次に、ステップＳ４１２に進み、表示部５４に各種設定状態の表示を行う。なお、画像表示部２８がＯＮに設定されている場合には、画像表示部２８も用いて画像によりデジタルカメラ１００の各種設定状態の表示を行う。この設定表示処理の詳細も、図３のステップＳ１４１と同じであり、図５を用いて後述する。
【０１１０】
ステップＳ４０１では、通信部１１０を介して外部装置と通信中であり、その外部装置からの画像データの受信を検出したか否かを判断する。受信が検知されなければ、ステップＳ１０３に戻る。また、受信が検知された場合、処理はステップＳ４０２に進み、システム制御部５０は現在受信可能状態かどうかを判定する。ここでいう、受信不可能な状態とは、たとえばシステム制御部５０が記録部２００にアクセスしていて、他からの記録部２００への書き込みが出来ない場合、記録媒体２００に空エリアがない場合等である。
【０１１１】
システム制御部５０が、ステップＳ４０２で受信可能状態と判定すると、処理をステップＳ４０３に進める。このステップＳ４０３では、システム制御部５０は、受信に備えて保存ファイル名の決定を行ったり、設定に応じて新規フォルダを作成するなど、ファイルやフォルダの管理を行う。このステップＳ４０３の処理は、図３のステップＳ１２５と同じであり、その詳細は図１２を用いて後述する。
【０１１２】
その後、システム制御部５０は、ステップＳ４０４において記録処理を行う。すなわち、メモリ３０に書き込まれた受信画像データを読み出し、メモリ制御回路２２（必要に応じて画像処理回路２０をも）用いて各種画像処理を行う。そして、圧縮・伸長回路３２を用い、設定されたモードに応じた画像圧縮処理を行ない、ヘッダ等に姿勢フラグなどの付加情報を加え、予め定められた記録ファイル形式に従った受信画像ファイルを生成する。その後、インタフェース９０或いは９４、コネクタ９２或いは９６を介して、メモリカードやコンパクトフラッシュ(登録商標)カード等の記録媒体２００或いは２１０の、予め定められた記録先に、受信画像ファイルを書き込む。
【０１１３】
なお、画像表示部２８がＯＮの場合は、記録媒体２００或いは２１０へ画像データの書き込みを行っている間、書き込み動作中であることを明示する例えば「ＢＵＳＹ」のような表示を画像表示部２８に対して行う。さらに、表示部５４において例えばＬＥＤを点滅させる等の記録媒体書き込み動作表示も併せて行う。
【０１１４】
この後、ステップＳ４０５で、最後に記憶媒体２００に格納した画像データの発生源が外部であることを示すため、不揮発性メモリ５６内の設定テーブルの「最後画像ソース源」に「外部」であることを示す情報を格納し、ステップＳ１０３に戻る。
【０１１５】
図５は、図３のステップＳ１４１、図４のステップＳ４１２における設定表示処理の詳細を示すフローチャートである。
【０１１６】
まず、システム制御部５０は、先ず、ステップＳ１４０やステップＳ４１０において決定されたフォルダ作成フラグの値を判定する。フォルダ作成フラグがＯＮであると判断した場合、次撮影で新規フォルダが作成される旨を、表示部５４を用いて画像や音声により報知する（ステップＳ５０２）。なお、画像表示部２８がＯＮであれば、画像表示部２８も用いて画像や音声によりフォルダ作成の報知を行う。
【０１１７】
フォルダ作成フラグがＯＦＦの場合には、ステップＳ５０３にて、表示部５４（画像表示部２８を含む）における、フォルダ作成の報知を中止する。ただし、後述するように、フォルダが作成された旨を受信した表示部が、ただちに状態の更新、すなわちフォルダ作成の報知停止を行う場合は、改めてステップＳ５０３を実行する必要はない。
【０１１８】
ステップＳＳ５０４では、システム制御部５０は、表示部５４（及び／又は、画像表示部２８も）に、フォルダ作成フラグ以外のデジタルカメラ１００の各種設定状態を画像や音声により報知（あるいは報知内容を更新）し、処理を終了する。
【０１１９】
図１４は、ステップＳ５０３及びＳ５０４の処理を行った場合の、表示部５４（及び画像表示部２８）の撮影モード時の表示例である。ステップＳ５０４の処理によってシングルショット／連写撮影表示（２８ａ）、フラッシュ表示（２８ｂ）、測光方式表示（２８ｃ）、圧縮率表示（２８ｄ）、記録画素数表示（２８ｅ）、残撮影可能枚数表示（２８ｆ）が表示される。
【０１２０】
一方、図１５はステップＳ５０２およびＳ５０４の処理を行った場合の、表示部５４（及び画像表示部２８）の表示例である。図１４と同様、シングルショット／連写撮影表示（２８ａ）、フラッシュ表示（２８ｂ）、測光方式表示（２８ｃ）、圧縮率表示（２８ｄ）、記録画素数表示（２８ｅ）、残撮影可能枚数表示（２８ｆ）が表示される。さらにステップＳ５０２の処理によって、次に画像ファイルを保存する際には、フォルダが作成される旨を表示するためのアイコン２８ｇが表示される。また、ステップＳ１２７のクイックレビュー処理の間は、フォルダ作成表示（例えば図１５の２８ｇ）は表示しても、しなくてもよい。同様に、ステップＳ１２７のクイックレビュー処理中に、フォルダ作成表示以外のデジタルカメラ１００の各種設定表示（例えば図１５の２８ａ〜２８ｆ）を表示しても、しなくてもよい。
【０１２１】
また、図１６はステップＳ５０３及びＳ５０４の処理を行った場合（再生時）の、表示部５４（及び画像表示部２８）の表示例である。
【０１２２】
本実施形態は、受信可能状態として、再生モードの状態を想定しているため、受信待機中はたとえば表示部５４では再生モードと同等の情報が表示される。
【０１２３】
すなわち、電波強度表示(２８ｈ)、現在表示されているファイル番号(２８ｊ)、表示されているファイルの撮影日時(２８ｉ)など、その画像に関する情報と接続情報が表示されることになる。
【０１２４】
一方図１７はステップＳ５０２およびＳ５０４の処理を行った場合の、表示部５４（及び画像表示部２８）の表示例である。図１６と同様、電波強度表示(２８ｈ)、現在表示されているファイル番号(２８ｊ)、表示されているファイルの撮影日時(２８ｉ)など、その画像に関する情報と接続情報が表示され、さらにステップＳ５０２の処理によってフォルダ作成アイコン２８ｇが表示される。
【０１２５】
次に、図３のステップＳ１２２における測距・測光処理の詳細を、図６のフローチャートに従って説明する。
【０１２６】
システム制御部５０は、撮像素子１４から電荷信号を読み出し、Ａ／Ｄ変換器１６を介して画像処理回路２０に撮影画像データを逐次読み込む（ステップＳ６０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理及びＡＷＢ（オートホワイトバランス）に用いる所定の演算を行う。
【０１２７】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モード等の異なるモード毎に最適な演算を行うことが可能となる。
【０１２８】
画像処理回路２０での演算結果を用い、システム制御部５０は、ステップＳ６０２にて、自動露出値が適正と判断されるまで、ステップＳ６０３にて露光制御部４０を用いたＡＥ制御を行う。ＡＥ制御で得られた測定データを用いて、システム制御部５０はフラッシュが必要か否かを判断し（ステップＳ６０４）、フラッシュが必要ならばフラッシュフラグをセットし、フラッシュ４８を充電する（ステップＳ６０５）。
【０１２９】
システム制御部５０が、ステップＳ６０２で自動露出値が適正と判断した場合、自動露出制御における測定データ及び或いは設定パラメータ（測光データ）を、システム制御部５０の内部メモリ或いはメモリ５２に一時的に記憶する。
【０１３０】
ＡＥ制御処理が終了すると、システム制御部５０は、ステップＳ６０６及びＳ６０７において、画像処理回路２０での演算結果及びＡＥ制御で得られた測定データを用いて、オートホワイトバランス処理を行う。すなわち、ステップＳ６０６でオートホワイトバランス値が適正と判断されるまで、ステップＳ６０７における画像処理回路２０を用いた色処理のパラメータを調節する。
【０１３１】
システム制御部５０が、ステップＳ６０６にて、オートホワイトバランス値が適正と判断すると、ＡＷＢ制御における測定データ及び或いは設定パラメータを、システム制御部５０の内部メモリ或いはメモリ５２に記憶する。
【０１３２】
次に、システム制御部５０は、ステップＳ６０８及びＳ６０９において、ＡＥ制御及びＡＷＢ制御で得られた測定データを用いて、ＡＦ制御を行う。すなわち、ステップＳ５０８で合焦と判断されるまで、測距制御部４２を用いたＡＦレンズ駆動や合焦度の算出を行う。
【０１３３】
システム制御部５０がステップＳ６０８にて、合焦したと判断した場合、ＡＦ制御における測定データ及び或いは設定パラメータを、システム制御部５０の内部メモリ或いはメモリ５２に記憶し、測距・測光処理を終了する。
【０１３４】
次に、図３のステップＳ１２６の撮影処理の詳細を、図７のフローチャートに従って説明する。
【０１３５】
システム制御部５０は、その内部メモリ或いはメモリ５２に記憶される測光データに従い、露光制御部４０によって、絞り機能を有するシャッター１２を絞り値に応じて開放して撮像素子１０の露光を開始する（ステップＳ７０１、Ｓ７０２）。
【０１３６】
次いで、システム制御部５０は、ステップＳ７０３にて、フラッシュフラグによりフラッシュ４８の発光が必要か否かを判断し、必要な場合はステップＳ７０４にてフラッシュ４８を発光させる。
【０１３７】
システム制御部５０は、測光データに従って撮像素子１２の露光時間経過を待ち（ステップＳ７０５）、シャッター１２を閉じ（ステップＳ７０６）、露光を終了させる。そして、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ７０７）。メモリ３０への撮影画像データ書き込みが終了したら、撮影処理を終了する。
【０１３８】
次に、図２のステップＳ１０２におけるファイル検索処理を、図８のフローチャートに従って説明する。
【０１３９】
システム制御部５０は、先ず、ステップＳ８０１にて、最終画像まで検索が完了したか否かを判断する。未完であると判断した場合には、記録媒体２００或いは２１０より、ルートディレクトリエントリを読みだす（ステップＳ８０２）。
【０１４０】
次にステップＳ８０２で読み出されたルートディレクトリエントリを解析し“/DCIM”フォルダ（ディレクトリ）の有無を判定する（ステップＳ８０３）。“/DCIM”が存在しないならば、再生画像は無いものと判断し本処理を終了する。
【０１４１】
また、ルートディレクトリエントリに“/DCIM”が存在すると判断した場合、システム制御部５０は、“/DCIM”のディレクトリエントリを読み込み、検索フォルダ番号(DirNum)をＤＣＦ規格(Design rule for Camera File system)における最大数である９９９に、ファイル数を表す変数(FileNum)を０に設定する（ステップＳ８０５）。
【０１４２】
そして、対応するフォルダが存在するかどうか調べる（ステップＳ８０６）。具体的には、記録媒体に、[/DCIM/(DirNum)XXXXX]フォルダ(ディレクトリ)が存在するかどうかを調べる。ここで、フォルダ名中、(DirNum)は変数DirNumの値、すなわちＤＣＦディレクトリ番号(999〜100)であり、Ｘは任意のＡＳＣＩＩ半角英数字である。たとえば変数DirNumの値が“100”、XXXXXが“ABCDE”の場合、[/DCIM/(DirNum)XXXXX]は、[/DCIM/100ABCDE]を表す。
【０１４３】
システム制御部５０は、ステップＳ８０６にて、このような、「１００〜９９９の数字＋半角英数５文字」という形式の名前を有するフォルダが存在する場合、その内容（ディレクトリエントリ）を読み出す（ステップＳ８０７）。そして、再生可能ファイルの有無を判定する（ステップＳ８０８）。この判定は、例えば、予め定められた拡張子（例えば.jpg）を有するファイルの有無を調べることによって行うことができる。
【０１４４】
ステップＳ８０８では、再生可能なファイルが存在しない場合、DirNumが最小値（＝１００）に達したかどうかを判定する。そして、DirNumの値が＞１００であれば、現在の値から１デクリメントし（Ｓ８１１）、ステップＳ８０６へ戻って次のフォルダを検索する。ステップＳ８１０においてDirNumの値が１００であれば、ステップＳ８１３へ進む。
【０１４５】
ステップＳ８０８で再生可能なファイルが存在すると判断された場合、再生可能ファイルのうちＤＣＦファイル番号の一番大きいファイルを最終画像として決定する（ステップＳ８０９）。ＤＣＦファイル番号は、ＤＣＦファイル名（８文字）の下位４文字を構成する“０００１〜９９９９”の番号である。そして、ステップＳ８１２で、最終画像のＤＣＦファイル番号を変数FileNumに設定し、ステップＳ８１３で変数FileNumの値を最終画像関連情報としてシステム制御部５０の内部メモリ或いはメモリ５２に記憶して、ステップＳ８１４へ進む。
【０１４６】
一方、ステップＳ８０１にて、既に最終画像が確定済みと判定された場合は、処理はステップＳ８１３に進み、判定済みのDirNum及びFileNumの値を最終画像関連情報としてシステム制御部５０の内部メモリ或いはメモリ５２に記憶し、本処理を終える。
【０１４７】
ステップＳ８０１にて最終画像が確定済みと判定されるのは、例えば前回のファイル検索処理において決定された最終画像のＤＣＦディレクトリ番号(DirNum)及びＤＣＦファイル番号(FileNum)等を不揮発性メモリ５６等に記憶保持している場合などである。
【０１４８】
ステップＳ８１３でシステム制御部５０の内部メモリ或いはメモリ５２に記憶する最終画像関連情報には、上述した最終画像の存在するフォルダのＤＣＦディレクトリ番号(DirNum)及び最終画像のＤＣＦファイル番号(FileNum)がある。本実施形態では、これらに加え、フォルダ（ディレクトリ）に存在する再生可能ファイルの総数及び、最終画像の撮影時刻及びタイムスタンプ等も最終画像関連情報として記録する。
【０１４９】
なお、ここでは最終画像のＤＣＦファイル番号を不揮発性メモリ５６等に保持し、最終画像関連情報をシステム制御部５０の内部メモリ或いはメモリ５２に記憶するものとして説明した。しかし、最終画像のＤＣＦファイル番号の他、他の最終画像関連情報を不揮発性メモリ５６等に保持しても良い。
【０１５０】
新規の画像撮影においては、本処理で検索された最終画像のＤＣＦディレクトリ番号及びＤＣＦファイル番号に続くＤＣＦディレクトリ番号及びＤＣＦファイル番号を用いて、保存先フォルダ及びファイル名を確定する。
【０１５１】
尚、図８のフローチャートでは、ＤＣＦファイル番号の一番大きいファイルを最終画像として検索しているが、これは一例であり、ＤＣＦ規格上の特定ＤＣＦディレクトリ内の最終画像や、記録媒体に対して最後に記録された画像ファイル等であってもよい。
【０１５２】
次に、図３のステップＳ１２５、及び、図４のステップＳ４０３のフォルダ及びファイル管理処理を図１０のフローチャートに従って説明する。
【０１５３】
まず、システム制御部５０の内部メモリ或いはメモリ５２に記憶されるフォルダ作成フラグ（図９の処理でその値が決定される）がＯＮセットされているかどうか調べる（Ｓ１２０１）。ここでフォルダ作成フラグがＯＦＦであると判定された場合、ステップＳ１２０８に処理を進め、変数DirNumの値に等しいＤＣＦディレクトリ番号をもつ既存フォルダを保存先として決定し、保存するファイル名を決定する。
【０１５４】
一方、システム制御部５０がフォルダ作成フラグがＯＮであると判定した場合、処理はステップＳ１２０２に進んで新規フォルダを作成し、ステップＳ１２０３でフォルダ手動作成フラグ（図１２参照）をＯＦＦに設定する（リセットする）。これは、ユーザの明示的なフォルダ作成指示に応えるためであり、無意味なフォルダが作成されることを防ぐためでもある。また、この結果、例えフォルダ自動作成フラグがＯＮであっても、モードの変更がない場合にはフォルダ作成フラグはＯＦＦとなるので、表示部にフォルダ作成を行なうアイコン２８ｇ（図１５参照）が表示されることは無くなる。
【０１５５】
次に、システム制御部５０は、ステップＳ１２０４に進んで、新規フォルダのＤＣＦディレクトリ番号を変数DirNumへ記憶し、ステップＳ１２０５にて新規に作成したこのフォルダへの保存ファイル名を決定する。新規フォルダのＤＣＦディレクトリ番号は、例えば最終画像の保存されるフォルダのＤＣＦディレクトリ番号に１足した値を有するものとする。また、新規フォルダに保存するファイル名のうち、ファイル番号は０００１が初期値であるものとする。また、ファイル名の上位４文字は、デジタルカメラ１００に予め設定された文字列とする。
【０１５６】
保存ファイル名が決定したなら、システム制御部５０は、ステップＳ１２０６に進んで、保存ファイルのＤＣＦファイル番号を変数FileNumに記憶し、本処理を終了する。
【０１５７】
次に図２のステップＳ１０８における撮影条件設定処理を図１１のフローチャートに従って説明する。
【０１５８】
まず、システム制御部５０は、ステップＳ１３０１にて、モードダイアル６０が連写撮影モードの位置にあるかどうか調べる。連写モードの位置にあれば、システム制御部５０は、ステップＳ１３０２に進んで、内部メモリ或いはメモリ５２に、現在の撮影モードが連写撮影モードであることを示す連写フラグをセットし、処理を終了する。
【０１５９】
モードダイヤル６０が連写モードの位置にない場合、システム制御部５０は、ステップＳ１３０３の処理に進める。このステップＳ１３０３ではモードダイヤル６０がブラケットモードの位置にあるかどうか調べる。ブラケットモードの位置にあると判定した場合、システム制御部５０は、ステップＳ１３０４にて、内部メモリ或いはメモリ５２に、現在の撮影モードがブラケット撮影であることを示すブラケットフラグをセットし、処理を終了する。
【０１６０】
また、モードダイヤル６０が連写モード、ブラケットモードのいずれにも位置していない場合、システム制御部５０は、ステップＳ１３０５に進んで、内部メモリ或いはメモリ５２に記憶される連写フラグ、ブラケットフラグの両方をクリアし、処理処理を終了する。
【０１６１】
以上説明したように、本実施形態によれば、ユーザが図１３のメニュー画面にて、画像発生源が変わる場合に新規にフォルダを作成することを設定する、すなわち、フォルダ自動作成フラグがＯＮになると、それ以降では、最後に記録媒体２００（或いは２１０）に格納した画像データの発生源と、今回格納する画像データの発生源が異なる場合、自動的にフォルダが作成され、その中に新規な画像データを保存することが可能になる。また、実際に新規にフォルダを作成するのは、格納することになる画像データを撮像した場合、或いは、画像データを受信した場合に行われるので、フォルダ数が無意味に増えることも抑制できる。
【０１６２】
また、実施形態によれば、フォルダを新規に作成した場合、フォルダ手動作成フラグのＯＮ／ＯＦＦであるか否かは無関係に、そのフォルダ手動作成フラグをＯＦＦにする。つまり、システム制御部５０は、一旦、新規なフォルダを作成した場合には、新規フォルダ作成要求ボタン７４の操作がなかったものとして扱う。これにより、フォルダ数が増えることを更に抑制することが可能になる。
【０１６３】
また、実施形態によれば、フォルダ作成フラグに応じて、表示部５４や画像表示部２８に、アイコン２８ｇを表示することで新規フォルダが作成されることを報知することが可能になる。ここで、注目したい点は、フォルダ手動作成フラグがＯＦＦ、フォルダ自動作成フラグがＯＮであるとき、ユーザがモードを変更する度にアイコン２８ｇの非表示／表示が自動的に行われる点である。つまり、ユーザに対して、フォルダが作成されるのか否かを事前に判断するための情報を報知することが可能になる。
【０１６４】
もし、ユーザがフォルダの作成を望まない場合には、新規フォルダ作成要求ボタン７４の再操作するか、或いは、図１３の画面で設定することを行なえば良い。
【０１６５】
かかる点を考察すると、もしユーザは新規にフォルダの作成を望まない場合、新規フォルダ作成要求ボタン７４の再操作するか、或いは、図１３の画面を表示して再設定するのかを区別できるようにすることが望ましい。そのためには、アイコン２８ｇとして二種類（色や形状を異なるせる）用意する。そして、フォルダ作成フラグがＯＮになったのがフォルダ手動作成フラグがＯＮであったためであるののか、フォルダ自動作成フラグがＯＮであったためであるのかを判断できるようにすればよい。簡単には、フォルダ作成フラグをＯＮ／ＯＦＦの２値状態を保持するのではなく、３値を保持できるようにすることである。すなわち、図９のステップＳ９０２でＮｏと判断された場合には、フォルダ作成フラグを“１”、同図のステップＳ９０６、Ｓ９０９でＹｅｓの場合にはフォルダ作成フラグを“２”にし、それ以外では、“０”を保持すればよいであろう。
【０１６６】
＜他の実施形態＞
上述の実施形態では、フォルダ作成を予告するするためアイコン２８ｇの表示／非表示を行なったが、アイコンではなく文字等のメッセージでも構わないし、他の形態、例えば、音声出力でも構わない。また、それらを複合させても構わない。つまり、ユーザに次撮影や受信時にフォルダが新規作成される旨を通知することのできる通知手段であればその形態は問わない。
【０１６７】
画像処理装置がアイコンや文字等を表示可能な表示装置を持たない場合、若しくは設定等によりアイコンや文字等を表示可能な表示部への表示がＯＦＦになっている場合等は、他の方法を用いることができる。例えば、フォルダ作成表示としてより単純な表示装置、例えばＬＥＤの点灯、消灯を用いて表示したり、音声を用いて通知したりしてもよい。特に、デジタル一眼レフカメラのようにスルー画像を表示できない場合は、表示部の表示を行わないことも考えられ、ＬＥＤや音声による通知を行うことも想定される。
【０１６８】
ユーザ設定によって、デジタルカメラ１００のフォルダ作成表示以外の各種状態表示（例えば図１５の２８ａ〜２８ｆ）が非表示になっている場合も考えられる。このような場合であっても、フォルダ作成表示（例えば図１５の２８ｇ）だけは表示を行い、ユーザにフォルダ作成の旨を確実に通知してもよい。こうすることにより、起動時やモード切替時であってもフォルダ作成表示の把握が容易になる。
【０１６９】
また、実施形態では、画像データ発生源としては、内部と外部の２通りで説明した。しかし、通信のネゴシエーションによって外部装置を特定できる（例えば、無線ＬＡＮであればＭＡＣアドレスで相手先の装置をユニークに特定できる）ので、外部装置の種類毎にフォルダを作成するようにしても構わない。このためには、図１２の設定テーブルの「最後画像ソース源」には、外部とする場合、その外部装置をユニークに特定する情報も併せて記憶するようにすればよい。
【０１７０】
また、実施形態では、フォルダ手動作成フラグのＯＮ／ＯＦＦは、新規フォルダ作成要求ボタン７４の操作によって行われるものとしたが、フォルダ自動作成フラグと同様にＧＵＩにて行なうようにしても構わない。この場合のＧＵＩの例は図１８に示す。
【０１７１】
図示では、メニューに、「新規作成」のチェックボックス２８ｋ、「画像発生源が変わるときに作成」のチェックボックス２８ｌの２つを容易する。前者のチェックボックスがチェックさえている場合、フォルダ手動作成フラグがＯＮとなる。また、後者のチェックボックスがチェックされていれば、フォルダ自動作成フラグがＯＮとなる。
【０１７２】
また、上述の実施形態ではいずれも静止画撮影の場合を説明した。しかし、図２のＳ１０６における撮影モードとして、静止画モードの他に動画モードが考えられる。動画撮影の場合も、撮影前にフォルダ作成判定処理及び設定表示処理を行い、新規フォルダを作成して撮影動画を保存した場合にフォルダ作成表示を非表示とすることで、静止画撮影の場合と同様の効果が得られることは明らかである。動画の場合撮影時間が長くなるが、実際に新規フォルダが作成され画像が保存されるまでの間フォルダ作成表示が表示されるため、撮影中はフォルダ作成表示が表示されていることになる。
【０１７３】
また、実施形態では、外部から受信する通信手段として無線を例示したが、優先であっても構わない。
【０１７４】
更に、実施形態では、外部から画像データを受信するのは、再生モード中としたが、外部受信モードを別途備え、そのモード中のときのみ受信できるようにしても構わない。
【０１７５】
また、実施形態では、特に説明しなかったが、外部装置（他のデジタルカメラ）に、所望とする画像を送信することも可能である。このモードが、モードダイヤル６０で送信モードを選択することで行われる。この送信モードでは、記録媒体２００（或いは２１０）内の所望とする画像データを選択し、送信する指示を与えることになる。
【０１７６】
また、実施形態では、記録媒体２００および２１０としては、ＰＣＭＣＩＡカードやコンパクトフラッシュ(登録商標)等のメモリカード、ハードディスク等だけでなく、マイクロＤＡＴ、光磁気ディスク、ＣＤ−ＲやＣＤ−ＲＷ等の光ディスク、ＤＶＤ等の相変化型光ディスク等で構成してもよい。
【０１７７】
また、記録媒体２００及び２１０は、メモリカードとハードディスク等が一体となった複合媒体であってもよいし、さらに、その複合媒体から一部が着脱可能な構成であってもよい。
【０１７８】
また、上述の実施形態においては、記録媒体２００及び２１０は、デジタルカメラ１００と分離していて任意に接続可能なものとして説明したが、いずれか或いは全ての記録媒体がデジタルカメラ１００に固定されていてもよい。
【０１７９】
また、デジタルカメラ１００に記録媒体２００或いは２１０が、単数或いは複数の任意の個数接続可能な構成であってもよい。
【０１８０】
上記の実施の形態に置いては、デジタルカメラ１００に記録媒体２００及び２１０が装着する構成として説明したが、記録媒体は単数或いは複数の何れの組み合わせの構成であってもよい。
【０１８１】
なお、本発明は、複数の機器から構成されるシステムに適用しても、一つの機器からなる装置に適用してもよい。
【０１８２】
また、本発明の目的は、前述した実施形態の機能を実現するソフトウェアのプログラムコードを記録した記憶媒体（または記録媒体）を、システムあるいは装置に供給し、そのシステム或いは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼動しているオペレーティングシステム（ＯＳ）などが実際の処理の一部または全部を行い、その処理によって前述した実施形態の機能が実現される場合も含まれることは言うまでもない。
【０１８３】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１８４】
なお、本発明は、以上の各実施形態、または、それら技術要素を必要に応じて組み合わせるようにしてもよい。
【０１８５】
また、本発明は、特許請求の範囲、または、実施の形態の構成の全部若しくは一部が、１つの装置を形成するものであっても、他の装置と結合するようなものであっても、装置を構成する要素となるようなものであってもよい。
【図面の簡単な説明】
【０１８６】
【図１】実施形態におけるデジタルカメラのブロック構成図である。
【図２】実施形態におけるデジタルカメラのシステム制御部が実行するメイン処理を示すフローチャートである。
【図３】実施形態におけるデジタルカメラのシステム制御部が実行するメイン処理を示すフローチャートである。
【図４】実施形態におけるデジタルカメラのシステム制御部が実行するメイン処理を示すフローチャートである。
【図５】図３のステップＳ１４１の処理の詳細を示すフローチャートである。
【図６】図３のステップＳ１２２の処理の詳細を示すフローチャートである。
【図７】図３のステップＳ１２６の処理の詳細を示すフローチャートである。
【図８】図２のステップＳ１０２の処理の詳細を示すフローチャートである。
【図９】図３のステップＳ１４０の処理の詳細を示すフローチャートである。
【図１０】図３のステップＳ１２５の処理の詳細を示すフローチャートである。
【図１１】図２のステップＳ１０８の処理の詳細を示すフローチャートである。
【図１２】不揮発性メモリに保持される設定テーブルの構造を示す図である。
【図１３】実施形態におけるフォルダ作成の設定のＧＵＩを示す図である。
【図１４】実施形態における表示部の表示例を示す図である。
【図１５】実施形態における表示部の表示例を示す図である。
【図１６】実施形態における表示部の表示例を示す図である。
【図１７】実施形態における表示部の表示例を示す図である。
【図１８】他の実施形態におけるフォルダ作成の設定のＧＵＩを示す図である。
【図１】
0004693651.tif 000002
【図２】
0004693651.tif 000003
【図３】
0004693651.tif 000004
【図４】
0004693651.tif 000005
【図５】
0004693651.tif 000006
【図６】
0004693651.tif 000007
【図７】
0004693651.tif 000008
【図８】
0004693651.tif 000009
【図９】
0004693651.tif 000010
【図１０】
0004693651.tif 000011
【図１１】
0004693651.tif 000012
【図１２】
0004693651.tif 000013
【図１３】
0004693651.tif 000014
【図１４】
0004693651.tif 000015
【図１５】
0004693651.tif 000016
【図１６】
0004693651.tif 000017
【図１７】
0004693651.tif 000018
【図１８】
0004693651.tif 000019